(57)【特許請求の範囲】
【請求項１】
ケーシングパイプの外周部位の地山を掘削しケーシングパイプ外周面より外側も掘削する多数のアウタカッタと、ケーシングパイプの内周部位の地山を掘削しケーシングパイプ内周面より内側も掘削する多数のインナカッタと、ケーシングパイプの周方向の一部の領域に片寄せて配置されインナカッタよりも更にケーシングパイプ内周面の内側を掘削する複数のインサートカッタとをケーシングパイプに取り付けて構成され、オールケーシング工法に使用されるインサートカッタ付きケーシングビットにおいて、掘削時のケーシングパイプの回転方向に向かって先行する側のインサートカッタが後続する側のインサートカッタよりもカッタ先端部が上方に位置するように複数のインサートカッタを配置して、複数のインサートカッタの各掘削量が同等になるようにしたことを特徴とするインサートカッタ付きケーシングビット。
【発明の詳細な説明】
【０００１】
【発明の属する技術分野】
本発明は、アウタカッタ及びインナカッタのほかインサートカッタをケーシングパイプに取り付けて構成され、オールケーシング工法に使用されるインサートカッタ付きケーシングビットに関する。
【０００２】
【従来の技術】
土木、建築工事で場所打ち杭や連続地中壁等の地中構造物を施工するのに使用する建設機械として、大口径鋼管杭や鋼管類等の管状ケーシングを回転させながら地中に押し込んで縦穴を掘削する縦穴掘削用の地中掘削装置が従来から一般的に知られている。管状ケーシングは、互いに連結可能な単位長さの複数のケーシングパイプで構成され、特に先端のケーシングパイプには、その底部に地山掘削用の種々のカッタを取り付けている。このようにケーシングパイプにカッタを取り付けて構成されるカッタビットをケーシングビットと称する。このケーシングビットは、通常の地山だけでなく、岩石等を含む岩盤や鉄筋コンクリート構造物等の地中障害物がある硬質の地山も掘削する。
【０００３】
従来から一般的に知られている縦穴掘削用の地中掘削装置は、こうしたケーシングビットを含む複数のケーシングパイプと、このケーシングパイプを回転させながら地中に押し込むことができる回転押し込み装置とを備え、ケーシングパイプを回転押し込み装置により把持して回転させながら地中に押し込んでケーシングビットで円形の縦穴を掘削する。この地中掘削装置では、最初に、管状ケーシングの先端部をなすケーシングビットで縦穴を掘削してこれを地中に建て込む。次いで、このケーシングビットに、カッタを取り付けていないケーシングパイプを適宜継ぎ足して穴壁の崩壊を防止しながら縦穴の掘削を続行し、これらの各ケーシングパイプを順次地中に建て込んで行く。また、縦穴の掘削過程でケーシングビット内に溜った土砂は、ハンマーグラブで地上に搬出する。こうした方法で縦穴を掘削する工法をオールケーシング工法と称する。このオールケーシング工法で縦穴を掘削した後は、通常、ケーシング内に鉄筋かごを入れ、コンクリートミルクを注入するとともに、ケーシングビットを含むケーシングパイプを地上に引き上げて回収し、鉄筋コンクリートの地中構造物を構築する。
【０００４】
オールケーシング工法に使用されるケーシングビットの一つとして、従来、インサートカッタ付きケーシングビットが知られている。このインサートカッタ付きケーシングビットは、通常取り付けられるアウタカッタ及びインナカッタのほか、ケーシングパイプ内周面の内側に溝を掘削するためのインサートカッタと称するカッタをケーシングパイプに着脱可能又は固定的に付設して構成されたもので、その例として、特開平３ー６６８９２号公報及び特開平４ー３１９１９５号公報に記載のケーシングビットを挙げることができる。このインサートカッタ付きケーシングビットを実際に使用する場合、インサートカッタを複数個取り付けて近接させるように配置していた。本発明は、こうしたインサートカッタ付きケーシングビットにおいてインサートカッタの耐久性を向上させるように改良しようとするものである。
【０００５】
そこで、後述する本発明の技術内容や技術課題の理解を容易にするため、この実際に使用しているインサートカッタ付きケーシングビットを従来の技術として想定し、その技術内容を図３乃至図５を用いて説明する。図３は、一部を破断してして示す従来例のインサートカッタ付きケーシングビットの正面図、図４は、図３のインサートカッタ付きケーシングビットの矢印Ａ−Ａ方向の矢視図、図５は、岩盤掘削時の状態を示す図３のインサートカッタ付きケーシングビットの垂直断面図である。
【０００６】
これらの図において、１はオールケーシング工法に使用される従来例のインサートカッタ付きケーシングビット、１ａは地山掘削用の種々のカッタが取り付けられる先端のケーシングパイプ、２ー１，２−２はケーシングパイプ１ａの下端部内周面に溶接により取り付けられたインサートカッタ、３はケーシングパイプ１ａの下端部に外周寄りにケーシングパイプ１ａの外周面よりも若干外方に突出するように溶接により取り付けられたアウタカッタ、４はケーシングパイプ１ａの下端部に内周寄りにケーシングパイプ１ａの内周面よりも若干内方に突出するように溶接により取り付けられたインナカッタである。
【０００７】
アウタカッタ３は、インナカッタ４に対して相対的にケーシングパイプ１ａの外周部位の地山を掘削するとともに、ケーシングパイプ１ａの外周面より外側も若干掘削してケーシングパイプ１ａを地中に押し込む際のケーシングパイプ１ａの外周面と地山との摩擦を軽減する。インナカッタ４は、アウタカッタ３に対して相対的にケーシングパイプ１ａの内周部位の地山を掘削するとともに、ケーシングパイプ１ａの内周面より内側も若干掘削してケーシングパイプ１ａを地中に押し込む際のケーシングパイプ１ａの内周面と地山との摩擦を軽減する。これらのアウタカッタ３及びインナカッタ４は、それぞれ、ケーシングパイプ１ａの周方向に間隔を置いて多数設けられて多条配置され、カッタ先端部（刃先）が同じ高さになるように配置されている。
【０００８】
インサートカッタ２−１，２−２は、ケーシングパイプ１ａの周方向に若干の間隔を置いて互いに近接するように配置され、インナカッタ４よりも更にケーシングパイプ１ａの内周面の内側を掘削する。ケーシングパイプ１ａにインサートカッタを取り付ける場合、本従来例では、２個のインサートカッタ２−１，２−２を取り付けているが、３個以上取り付ける場合もある。インサートカッタは、従来の技術について説明する場合、こうした複数個のインサートカッタを特に区別しないときや総称するときには、以下、符号２を付けて表わす。オールケーシング工法に使用される本従来例のインサートカッタ付きケーシングビット１は、メインのカッタとなる多数のアウタカッタ３及び多数のインナカッタ４と、複数のインサートカッタ２とをケーシングパイプ１ａに取り付けて構成される。
【０００９】
複数のインサートカッタ２は、従来の技術ではカッタ先端部が何れも同じ高さになるように配置されているとともに、そのカッタ先端部は、アウタカッタ３やインナカッタ４のカッタ先端部よりも若干上方に位置するように段差ｌ1 を付けて配置されている。インサートカッタ２は、ケーシングパイプ１ａの内周面に沿うように溝５を掘削する。この溝５は、アウタカッタ３及びインナカッタ４で掘削した掘り屑をケーシングパイプ１ａの内周面に沿って上方に円滑に排出するように導く働きをする。また、ケーシングビット１で地山を掘削すると、図５に示すようにケーシングパイプ１ａの内側に円筒状の地盤Ｅａが掘り残されるため、この地盤Ｅａをハンマーグラブで掴んで地上に搬出する作業を行うが、溝５は、こうした排土作業を行う際にハンマーグラブのシェルを挿入できるようにてシェルの食い込み性を良好にし、排土作業の効率を向上させる働きもする。
【００１０】
インサートカッタ２は、こうした溝５を掘削するための補助的なカッタであるから、３個以上設ける場合でも、アウタカッタ３やインナカッタ４の半分以下とこれらの数より少ない数しか設けられない。そのため、インサートカッタ２は、前述したようにカッタ３，４に対し段差ｌ1 を付けてこれらの上方に配置することにより、アウタカッタ３やインナカッタ４で地山を先行掘削するようにして、溝５を掘削する周辺の地盤を事前に緩め、溝５の掘削時のインサートカッタ２の負担を軽減するようにしている。
【００１１】
インサートカッタ２を複数個設ける場合、インサートカッタ２−１，２−２を対向する位置に配置する等、複数個の各インサートカッタ２の間隔をカッタ３，４と同様に等間隔に配置すると、ケーシングパイプ１ａ内の有効作業空間が大きく狭まって、ハンマーグラブを降下させて溝５に挿入する際には、インサートカッタ２がハンマーグラブのシェルの先端部と干渉し、また、掘削した縦穴に鉄筋コンクリートを打設しながらケーシングパイプ１ａを引き上げる際には、インサートカッタ２が鉄筋かごに引き掛かってケーシングパイプ１ａと鉄筋かごが共上がりするというような危惧が大きい。特に、鉄筋かごがインサートカッタ２と共に一旦引き上げられると、コンクリートが固化しつつあるため、元位置に降下する可能性は低く、地中構造物を構築する上で致命的な問題をもたらす。こうしたことから、従来使用したインサートカッタ付きケーシングビットでは、インサートカッタ２を複数個配置する場合に各インサートカッタ２を互いに近接させてケーシングパイプ１ａの周方向の一部の領域に片寄せて配置するようにすることにより、ケーシングパイプ１ａ内の有効作業空間が大きく狭まらないようにして、前記のような問題が発生するのを防ぐようにしていた。
【００１２】
【発明が解決しようとする課題】
オールケーシング工法に使用されるインサートカッタ付きケーシングビットでは、こうのようにインサートカッタをケーシングパイプの周方向の一部の領域に片寄せて配置することが作業を円滑に進める上で不可欠である。従来例のインサートカッタ付きケーシングビットでは、こうしたインサートカッタの配置を前提にして、前述したとおり、複数のインサートカッタをカッタ先端部が何れも同じ高さになるように配置するようにしている。こうした複数のインサートカッタで地山を掘削する場合、掘削の第１段階では、ケーシングパイプの回転方向に向かって先行する側のインサートカッタで主として掘削し、次いで、この先行側のインサートカッタが摩耗又は破損した段階において、先行側のインサートカッタに後続する後続側のインサートカッタにより、先行側のインサートカッタを支援するようにして掘削し、以下同様にして、順次、後続するインサートカッタで支援して掘削するようにしている。
【００１３】
従来の技術では、このように、先行側のインサートカッタが損傷する都度後続側のインサートカッタで支援して掘削するようにするという設計思想のもとに、複数のインサートカッタをカッタ先端部が同じ高さになるように配置するようにしていた。しかるに、こうした設計思想で構成されたインサートカッタ付きケーシングビットでは、先行する側のインサートカッタが損傷するするまでは、先行側のインサートカッタで専ら地山の掘削を行い、後続側のインサートカッタは、ほとんど掘削に関与しないため、先行側のインサートカッタの超硬チップによる切削量が極端に多くなって、アウタカッタやインナカッタのようには各超硬チップが均一に摩耗しない。そのため、特に、岩盤や鉄筋コンクリート構造物等の地中障害物がある硬質の地山を掘削する場合には、超硬チップの摩耗が急速に進行して、超硬チップが偏摩耗したり欠けたりする事態が多発することとなる。
【００１４】
このように、従来の技術では、インサートカッタを複数設けているにもかかわらず、アウタカッタやインナカッタとは異なり一つのカッタに過大な負担をかけているため、特に、硬質の地山を掘削する場合、先行側のインサートカッタが短時間に損傷し、しかる後、後続側のインサートカッタも同様にして短時間で損傷するというように、複数のインサートカッタが短時間で次々に損傷することとなって、アウタカッタやインナカッタが未だ切削可能な能力を十分保持しているにもかかわらず、インサートカッタだけが切削能力を喪失することとなる。その結果、従来の技術に係るインサートカッタ付きケーシングビットは、その寿命がインサートカッタの寿命で定まることとなって、結局、耐久性が著しく低下したものとなり、インサートカッタの交換を頻繁に行わなければならなくなる。
【００１５】
この出願の発明は、こうした従来の技術にみられる問題を解消しようとするものであって、その技術課題は、複数のインサートカッタをケーシングパイプの周方向の一部の領域に片寄せて配置していても、従来の技術のようには耐久性が低下しないインサートカッタ付きケーシングビットを提供することにある。
【００１６】
【課題を解決するための手段】
本発明のこうした技術課題は、
ケーシングパイプの外周部位の地山を掘削しケーシングパイプ外周面より外側も掘削する多数のアウタカッタと、ケーシングパイプの内周部位の地山を掘削しケーシングパイプ内周面より内側も掘削する多数のインナカッタと、ケーシングパイプの周方向の一部の領域に片寄せて配置されインナカッタよりも更にケーシングパイプ内周面の内側を掘削する複数のインサートカッタとをケーシングパイプに取り付けて構成され、オールケーシング工法に使用されるインサートカッタ付きケーシングビットにおいて、
掘削時のケーシングパイプの回転方向に向かって先行する側のインサートカッタが後続する側のインサートカッタよりもカッタ先端部が上方に位置するように複数のインサートカッタを配置して、複数のインサートカッタの各掘削量が同等になるようにしたこと、
により達成される。
【００１７】
本発明のインサートカッタ付きケーシングビットは、従来の技術と同様、複数のインサートカッタをケーシングパイプの周方向の一部の領域に片寄せて配置してケーシングパイプ内の有効作業空間が大きく狭まらないようにしており、これにより、インサートカッタでケーシングパイプ内周面の内側に掘削された溝にハンマーグラブを挿入する際にそのシェルがインサートカッタと干渉したり、鉄筋コンクリートの打設時にケーシングパイプを引き上げる際にインサートカッタが鉄筋かごに引き掛かったりする事態を防止できるようにしている。このように、本発明のインサートカッタ付きケーシングビットは、従来の技術の利点を保持できるように複数のインサートカッタをケーシングパイプの周方向の一部の領域に片寄せて配置するようにした従来の技術と同様の手段を採用していても、前記のように先行する側のインサートカッタが後続する側のインサートカッタよりもカッタ先端部が上方に位置するように複数のインサートカッタを配置して、複数のインサートカッタの各掘削量が同等になるようにした本発明独自の手段を採用しているので、従来の技術のように一つのインサートカッタに過大な負担がかかって耐久性が低下するようなことはない。
【００１８】
【発明の実施の形態】
以下、本発明が実際上どのように具体化されるのかを示す具体化例を図１及び図２に基づいて説明することにより、本発明の実施の形態を明らかにする。図１は、一部を破断してして示すの本発明の具体化例のインサートカッタ付きケーシングビットの正面図、図２は、図１のインサートカッタ付きケーシングビットの矢印Ｂ−Ｂ方向の矢視図である。
【００１９】
これらの図において、１１は、オールケーシング工法に使用される本発明の具体化例のインサートカッタ付きケーシングビット、１１ａはケーシングパイプ１ａと同様の先端のケーシングパイプ、１３はこのケーシングパイプ１１ａの外周部位の地山を掘削しケーシングパイプ１１ａの外周面より外側も掘削する、アウタカッタ３と同様のアウタカッタ、１４はケーシングパイプ１１ａの内周部位の地山を掘削しケーシングパイプ１１ａの内周面より内側も掘削する、インナカッタ４と同様のインナカッタである。アウタカッタ１３及びインナカッタ１４は、それぞれ、アウタカッタ３及びインナカッタ４と同様の構造及び機能を有し、アウタカッタ３及びインナカッタ４と同様の態様で、溶接によりケーシングパイプ１１ａに多数取り付けられて多条配置されており、従来例と特に変わるところはない。アウタカッタ１３は、インナカッタ１４に比べて掘削外径が大きいため、インナカッタ１４よりも多数設けられ、アウタカッタ１３とインナカッタ１４の数量比は、図１及び図２に示す例では２：１になっているが、地盤の条件によっては、１：１に変えることができる。これらアウタカッタ１３とインナカッタ１４とをケーシングパイプ１ａの下端部に取り付ける場合、この例では等間隔で配置するようにしている。
【００２０】
１２−１，１２−２は、インナカッタ１４よりも更にケーシングパイプ１１ａの内周面の内側を掘削するインサートカッタであり、従来例のインサートカッタ２と同様、ケーシングパイプ１１ａの内周面に沿うように溝５を掘削して従来例のインサートカッタ２と同様の働きをする。インサートカッタ１２−１は、掘削時のケーシングパイプ１１ａの回転方向に向かって先行する先行側のインサートカッタであって従来例のインサートカッタ２−１に対応し、インサートカッタ１２−２は、インサートカッタ１２−１に後続する後続側のインサートカッタであってインサートカッタ２−２に対応する。図１及び図２に示す例では、従来例と同様、２個のインサートカッタ１２−１，１２−２を取り付けているが、３個以上取り付けてもよい。こうした複数個のインサートカッタを特に区別しないときや総称するときには、これに符号１２を付けて表わす。
【００２１】
インサートカッタ１２をこのように複数個配置する場合、従来例と同様、ハンマーグラブを溝５に挿入する際にそのシェルがインサートカッタ１２と干渉したり、鉄筋コンクリートの打設時にケーシングパイプ１ａを引き上げる際にインサートカッタ１２が鉄筋かごに引き掛かったりする事態を防止するため、各インサートカッタ１２を互いに近接させてケーシングパイプ１１ａの周方向の一部の領域に片寄せて配置して、ケーシングパイプ１１ａ内の有効作業空間が大きく狭まらないようにしている。図に示す例では、インサートカッタ１２−１及びインサートカッタ１２−２の中心が３０° の中心角の円弧の両端に位置するようにこれらを接近させて配置しているが、インサートカッタ１２を３個以上取り付ける場合も、このように各インサートカッタ１２を互いに近接させてケーシングパイプ１１ａの周方向の一部の領域に片寄せて配置する。すなわち、前記の事態を防止するため、各インサートカッタ１２を、その中心が最大でも９０° の中心角の円弧状の領域内に位置するように配置するが、望ましくは、６０° の中心角の円弧状の領域内に位置するように配置する。
【００２２】
図１において、ｌ1 はメインのカッタであるアウタカッタ１３及びインナカッタ１４と後続側のインサートカッタ１２−２との段差を示し、ｌ2 は先行側のインサートカッタ１２−１と後続側のインサートカッタ１２−２との段差を示すものである。図１に示すように、後続側のインサートカッタ１２−２は、カッタ先端部がメインのカッタ１３，１４よりも若干の段差ｌ1 分だけ上方に位置するように配置され、先行側のインサートカッタ１２−１は、カッタ先端部が更に後続側のインサートカッタ１２−２よりも若干の段差ｌ2 分だけ上方に位置するように配置されている。メインのカッタ１３，１４の岩盤への食い込みを良好にするためは、カッタ先端部が低い方の後続側のインサートカッタ１２−２は、そのカッタ先端部がメインのカッタ１３，１４のカッタ先端部よりも上方に位置するように配置するのが好ましいが、その場合でも、最大で１０ｍｍ程度上方に位置するように配置するのが好ましく、ここに示す例では、段差ｌ1 の値を選定する場合、１０ｍｍ以下の適当な値の中から、メインのカッタ１３，１４の岩盤への食い込み性が悪化しない限度で適宜の値を選定するようにしている。
【００２３】
この１０ｍｍ以下の数値の意義について以下に述べる。前記のようにカッタ先端部が上方に位置するようにインサートカッタ１２を配置したインサートカッタ付きケーシングビットにより地山を掘削した場合、ケーシングパイプ１ａの内側に掘り残される円筒状の地盤Ｅａは、インナカッタ１４で径が定まる大径の円筒状下方部分と、インサートカッタ１２で径が定まるその円筒状下方部分より若干小径の円筒状上方部分とを繋げた形状になる。こうした形状の円筒状の地盤Ｅａは、掘削時に小径の円筒状上方部分の下端部に亀裂ができて切断されることが多いが、ときには、大径の円筒状下方部分の下端部に亀裂ができて切断されることもある。こうした場合、切断された円筒状の地盤Ｅａの下部には、大径の円筒状下方部分で鍔部が形成されるため、円筒状の地盤Ｅａの切断片をハンマーグラブで掴んで引き上げしようとしても、その鍔部がインサートカッタ１２に引掛ってそのまま引き上げることはできない。そのため、ここに示す例では、ハンマーグラブで掴んだ地盤Ｅａの切断片を傾けてインサートカッタ１２に強く押し当てることにより、鍔部を破壊して除去するようにしているが、こうしたことを可能にするには、鍔部の厚みがある程度薄くなければならない。段差ｌ1 の値を１０ｍｍ以下にしたのは、地盤Ｅａが岩盤であっても前記のハンマーグラブの傾動操作で容易に破壊できる厚みの薄い鍔部を形成し得るようにするためである。
【００２４】
先行側のインサートカッタ１２−１は、前述したように、カッタ先端部を後続側のインサートカッタ１２−２よりも段差ｌ2 分だけ上方に位置させるように配置するが、段差ｌ2 の値は、岩盤掘削する際の１回転当たりケーシングビット１１の掘削量（掘削深さ）の半分程度に設定する。例えば、岩盤掘削する際の１回転当たりケーシングビット１１の掘削量が２０ｍｍであるとした場合、段差ｌ2 は１０ｍｍに設定する。その結果、ケーシングビット１１での掘削時における溝５の掘削は、先行側のインサートカッタ１２−１と後続側のインサートカッタ１２−２とで掘削量２０ｍｍの半分ずつを分担して受け持つことができる。
【００２５】
インサートカッタ１２を３個設ける場合には、相対的に先行する各インサートカッタ１２を、隣接する後続のインサートカッタ１２に対してそれぞれｌ2 分だけ上方に位置させるようにする。前記のようにケーシングビット１１の掘削量が２０ｍｍであるとした場合においてこのようにインサートカッタ１２を３個設けるときには、段差ｌ2 は、２０ｍｍ×１／３すなわち７ｍｍに設定する。その結果、溝５の掘削は、３個のインサートカッタ１２で掘削量２０ｍｍの１／３ずつを均等に分担して受け持つことができる。こうした段差ｌ2 の設定量は、掘削する岩盤の性状によって多少の差はあるので、±１０％程度変動させることができる（例えば、インサートカッタ１２が３個のときには、インサートカッタ１２の掘削量を正確に１／３ずつとしないで、３０％、３３％、３６％と差を付けて設定することができる。）。
【００２６】
以上のように、相対的に先行する側のインサートカッタ１２が後続する側のインサートカッタ１２よりもカッタ先端部が上方に位置するように複数のインサートカッタ１２を配置して、複数のインサートカッタ１２の各掘削量が同等になるようにしたため、掘削当初から複数のインサートカッタ１２で掘削量を均等に分担して同時掘削を行うことができて、従来の技術のように一つのカッタに過大な負担がかかるようなことはない。そのため、複数のインサートカッタ１２をケーシングパイプ１１ａの周方向の一部の領域に片寄せて配置していても、硬質の地山を掘削する場合に、従来の技術のようにインサートカッタ１２が短時間に損傷する弊害は生じず、アウタカッタ１３やインナカッタ１４が未だ切削可能な能力を十分保持しているにもかかわらず、インサートカッタ１２だけが切削能力を喪失するというような事態も起こらない。したがって、従来の技術のようには耐久性が低下しないインサートカッタ付きケーシングビットが得られる。その結果、インサートカッタ１２の交換を従来の技術のように頻繁に行う必要はなくなってオールケーシング工法の施工能率を格段に向上させることができる。
【００２７】
以上述べた例では、インサートカッタ１２をケーシングパイプ１１ａに溶接で取り付けるようにしているが、本発明は、例えば前記特開平４ー３１９１９５号公報に記載されているような、インサートカッタ１２をケーシングパイプ１１ａにボルト等で着脱可能に取り付けるようにしたインサートカッタ付きケーシングビットにも適用することができる。
【００２８】
【発明の効果】
以上の説明から明らかなように、本発明は、多数のアウタカッタと多数のインナカッタと、ケーシングパイプの周方向の一部の領域に片寄せて配置されインナカッタよりも更にケーシングパイプ内周面の内側を掘削する複数のインサートカッタとをケーシングパイプに取り付けて構成され、オールケーシング工法に使用されるインサートカッタ付きケーシングビットにおいて、「掘削時のケーシングパイプの回転方向に向かって先行する側のインサートカッタが後続する側のインサートカッタよりもカッタ先端部が上方に位置するように複数のインサートカッタを配置して、複数のインサートカッタの各掘削量が同等になるようにした」ので、本発明によれば、複数のインサートカッタをケーシングパイプの周方向の一部の領域に片寄せて配置していても、インサートカッタが短時間に損傷する弊害は生じず、従来の技術のようには耐久性が低下しないインサートカッタ付きケーシングビットが得られる。その結果、インサートカッタの交換を従来の技術のように頻繁に行う必要はなくなってオールケーシング工法の施工能率を格段に向上させることができる。
【図面の簡単な説明】
【図１】一部を破断してして示すの本発明の具体化例のインサートカッタ付きケーシングビットの正面図である。
【図２】図１のインサートカッタ付きケーシングビットの矢印Ｂ−Ｂ方向の矢視図である。
【図３】一部を破断してして示す従来例のインサートカッタ付きケーシングビットの正面図である。
【図４】図３のインサートカッタ付きケーシングビットの矢印Ａ−Ａ方向の矢視図である。
【図５】岩盤掘削時の状態を示す図３のインサートカッタ付きケーシングビットの垂直断面図である。
【符号の説明】
１１    ケーシングビット
１１ａ  ケーシングパイプ
１２−１  先行側のインサートカッタ
１２−２  後続側のインサートカッタ
１３    アウタカッタ
１４    インナカッタ
ｌ1     メインのカッタと後続側のインサートカッタとの段差
ｌ2     先行側のインサートカッタと後続側のインサートカッタとの段差
【図１】
0003784556.tif 000002
【図２】
0003784556.tif 000003
【図３】
0003784556.tif 000004
【図４】
0003784556.tif 000005
【図５】
0003784556.tif 000006